(57)【要約】【課題】本発明は観察者が３次元画像を３次元画像として鑑賞する機会を逸することなく、製作済みの３Ｄ−ＣＧや実写で得られた３次元画像コンテンツにも利用可能であり、観察者の頭部の傾きによる３次元画像の融像障害に対応できる３次元画像観察用眼鏡、及び３次元画像観察用眼鏡を使用した３次元画像観察方法を提供することを課題とする。【解決手段】互いに視差を有する右眼用画像と左眼用画像を有する３次元画像の観察時に顔面に装着され、右眼用画像を観察者の右眼に導き、左眼用画像を観察者の左眼に導く３次元画像観察用眼鏡であって、上記観察者の頭部の左右の傾きを検出する検出手段と、上記観察者に警告を行なう警告手段と、上記検出手段の検出結果に基づき、上記観察者の頭部の左右の傾きが所定以上の場合、上記警告手段を動作させる制御手段とを有することを特徴とする。【選択図】  図１
2012053237.tif 000002
【特許請求の範囲】
【請求項１】
互いに視差を有する右眼用画像と左眼用画像を有する３次元画像の観察時に顔面に装着され、右眼用画像を観察者の右眼に導き、左眼用画像を観察者の左眼に導く、３次元画像観察用眼鏡であり、
前記観察者の頭部の左右の傾きを検出する検出手段と、
前記観察者に警告を行なう警告手段と、
前記検出手段の検出結果に基づき、前記観察者の頭部の左右の傾きが所定以上の場合、前記警告手段を動作させる制御手段と、
を有することを特徴とする３次元画像観察用眼鏡。
【請求項２】
前記警告手段は、バイブレータを含むことを特徴とする藷求項１に記載の３次元画像観察用眼鏡。
【請求項３】
前記バイブレータは、前記３次元画像観察用眼鏡の右側と左側に各々配設され、前記制御手段は、前記観察者の頭部の傾く方向が左右何れかに応じて、前記右側に配設されたバイブレータと前記左側に配設されたバイブレータを選択的に動作させることを特徴とする請求項２に記載の３次元画像観察用眼鏡。
【請求項４】
前記バイブレータは、前記３次元画像観察用眼鏡のテンプルに配設されていることを特徴とする請求項３に記載の３次元画像観察用眼鏡。
【請求項５】
前記３次元画像観察用眼鏡は光学シャッタ式であり、
前記警告手段は、前記観察者の左眼前に位置づけられる左眼用光学シャッタと右眼前に位置づけられる右眼用光学シャッタを含み、
前記制御手段は、前記観察者の頭部の左右の傾きが所定以上の場合、前記左眼用光学シャッタと、前記右眼用光学シャッタの両方の光学シャッタを開放状態にする、
ことを特徴とする請求項１に記載の３次元画像観察用眼鏡。
【請求項６】
前記警告手段は、前記観察者の少なくとも一方の眼の前に位置付けられる透過率可変部材を含み、
前記制御手段は、前記観察者の頭部の左右の傾きが所定以上の場合、前記透過率可変部材の透過率を変化させる、
ことを特徴とする請求項１に記載の３次元画像観察用眼鏡。
【請求項７】
前記制御手段は、前記観察者の頭部の左右の傾きが所定以上の場合に前記透過率可変部材を低透過率状態とし、それ以外の場合に前記透過率可変部材を高透過率の状態にする
ことを特徹とする請求項６に記載の３次元画像観察用眼鏡。
【請求項８】
前記制御手段は、前記観察者の頭部の左右の傾きが所定以上の場合に前記透過率可変部材の一部の領域のみを低透過率若しくは遮蔽にすると共に他の領域を高透過率状態とし、それ以外の場合に前記透過率可変部材を全面的に高透過率の状態にすることを特徴とする請求項６に記載の３次元画像観察用眼鏡。
【請求項９】
前記制御手段は、前記観察者の頭部の左右の傾きが所定以上の場合に、前記観察者の片方の眼の前に位置付けられる透過率可変部材のみを低速過率若しくは遮蔽の状態にする
ことを特徴とする請求項６に記載の３次元画像観察用眼鏡。
【請求項１０】
前記透過率可変部材は観察者の左眼の前に位置付けられる左眼用透過率可変部材と右眼の前に位置付けられる右眼用透過率可変部材を有し、
前記制御手段は、前記観察者の頭部の傾く方向が左右何れかに応じて、左眼用透過率可変部材と右眼用透過率可変部材から透過率を変更する透過率可変部材を選択する、
ことを特徴とする請求項６に記載の３次元画像観察用眼鏡。
【請求項１１】
互いに視差を有する右眼用画像と左眼用画像を有する３次元画像を表示する表示装置と、
前記表示装置の左右の傾きを変更する傾き変更機構と、
観察者が前記３次元画像を観察する時前記観察者の顔面に装着され、右眼用画像を前記観察者の右眼に導き、左眼用画像を前記観察者の左眼に導く、３次元画像観察用眼鏡と、
前記観察者の頭部の左右の傾きを検出する検出手段と、
前記検出手段の検出結果に基づき、前記観察者の頭部の左右の傾きと、前記表示装置の左右の傾きの差が、所定の閾値以下になるように、前記傾き変更機横に前記表示装置の左右の傾きを変更させる制御手段と、
を有することを特徴とする３次元画像観察システム。
【請求項１２】
互いに視差を有する右眼用画像と左眼用画像を有する３次元画像の観察者に顔面に装着され右眼用画像を観察者の右眼に導き、左眼用画像を観察者の左眼に導く、３次元画像観察用眼鏡の使用時の３次元画像観察方法であり、
前記観察者の頭部の左右の傾きを検出手段で検出し、
前記検出手段の検出結果に基づき、前記観察者の頭部の左右の傾きが所定閾値以上の場合に警告を発する、
ことを特徹とする３次元画像観察方法。
【請求項１３】
前記警告は、前記観察者の頭部の傾く方向が左右のどちらであるかに応じて、前記３次元画像観察用眼鏡の右側に配設されたバイブレータと左側に配設されたバイブレータを選択的に動作させることを含むことを特徴とする請求項１２に記載の３次元画像観察方法。
【請求項１４】
前記警告は、前記観察者の少なくとも一方の眼の前に位置付けられる透過率可変部材の透過率を変化させることを含むことを特徴とする請求項１２に記載の３次元画像観察方法。
【請求項１５】
表示装置に表示された互いに視差を有する右眼用画像と左眼用画像を有する３次元画像を、観察者の顔面に装着され前記右眼用画像を前記観察者の右眼に導き、前記左眼用画像を前記観察者の左眼に導く３次元画像観察用眼鏡を使用して観察する３次元画像観察方法であり、
前記観察者の頭部の左右の傾きを検出手段で検出し、
前記検出手段の検出結果に基づき、前記観察者の頭部の左右の傾きと、前記表示装置の左右の傾きの差が、所定の閾値以下になるように、前記表示装置の左右の傾きを変更する傾き変更機構に前記表示装置の左右の傾きを変更させる、
ことを特赦とする３次元画像観察方法。
【発明の詳細な説明】
【技術分野】
【０００１】
本発明は、表示装置に表示された互いに視差を有する右眼用画像と左眼用画像を有する３次元画像を、右眼用画像を観察者の右眼に導き、左眼用画像を観察者の左眼に導く３次元画像観察用眼鏡、及び３次元画像観察用眼鏡を使用した３次元画像観察方法に関する。
【背景技術】
【０００２】
従来から、観察者の左眼と右眼に互いに視差がある２次元画像である左眼用画像と右眼用画像を別々に提供して立体視を実現する技術が知られている。例えば、（１）左右の画像を夫々赤と青の２色で合成し、観察者の装着した眼鏡に各々青と赤のフィルタを取り付け、左眼では青色若しくは赤色の一方の画像のみ、右眼では青色若しくは赤色の他方の画像のみ観察できるようにして、両眼視差により３次元画像を得るアナグリフ、（２）左眼用画像と右眼用画像を交互に表示し、この交互表示と同期して観察者が装着したメガネの左右のシャッタを開閉させ、右眼には右眼用画像のみが見え、左眼には左眼用画像のみが見えるようにする方法、（３）左眼用画像と右眼用画像の偏光方向を異ならせ、観察者が装着したメガネの左右の偏光フィルタにより一方の画像のみが透過するようにし、右眼には右眼用画像のみが見え、左眼には左眼用画像のみが見えるようにする方法、（４）ＨＭＤ(Head Mounted Display)などの観察者の左右の眼に独立して像を提供する光学系を備えた装置を使う方法が知られている。
【０００３】
上述した、右眼用画像と左眼用画像の視差は、例えば２画像中の同一オブジェクトの位置がずれる現象として観察される。現実世界において両眼で同一オブジェクトを観察した場合、両眼の離間方向に視差として画像の位置のずれが生じる。３次元画像観察時においては、通常、観察者の頭部は正立しているので両眼の離間方向は水平となり、視差としての右眼用画像と左眼用画像の位置ずれは水平方向となるのが好ましい。このようにすれば、現実世界と同様に、両眼の離間方向（水平方向）と視差の方向（水平方向）が一致するので、前記オブジェクトは容易に融像して３次元画像として認識される。一方、観察者の頭部が傾いた状態で水平方向に視差のある画像を観察すると、融像が困難となる場合がある。
【０００４】
図２２及び図２３はこの現象を説明する図である。
例えば、正常な場合、図２２(ａ)に破線で示す観察者の頭部は垂直であり、頭部が水平方向に傾いていない。この場合、観察者の左右の眼も水平方向に離間しており、画像のズレ方向と両眼の離間方向が一致し、観察者は図２２（ｂ）に示す画像を観察した際の右眼用画像と左眼用画像の融像を容易に行なうことができる。
【０００５】
一方、図２３(ａ)に破線で示す観察者の頭部が、例えば右方向に傾いている場合、当然、左右の眼の離間方向も同方向に傾斜する。このため、上記図２２（ｂ）と同じ図２３（ｂ）に示す画像を観察した際、水平方向の視差による画像のズレと両眼の離間方向が一致せず、右眼用画像と左眼用画像の融像が困難になる。
通常、両眼視の融像検査では、許容される頭部の傾き（回旋）は、６度から１０度と言われており、これを超えると融像に支障が生じる可能性が高い。
【０００６】
このような３次元画像観察時の頭部の傾きに対応する発明として、特許文献１及び特許文献２が提案されている。例えば、特許文献１の第３の実施形態の説明には、３次元画像観察時に３次元画像観察用眼鏡の傾きを検出し、水平ならば眼鏡の右眼に右眼用画像が入射し、左眼に左眼用画像が入射するように制御して３次元画像を観察者に提示する技術が開示されている。この技術においては、水平でなければ眼鏡の左右の眼に両方とも右眼用画像を入射させる、又は両方とも左眼用画像を入射させるように制御して、観察者に２次元画像を提示する。
【０００７】
また、特許文献２は、３次元画像観察時に３次元画像観察用眼鏡の傾きを検出し、この傾きに対応した方向の視差をもつ右眼用画像と左眼用画像を、例えば３次元データベースのデータを使用して生成し、表示装置に表示する技術を開示する。
【先行技術文献】
【特許文献】
【０００８】
【特許文献１】特開２００１−２９６５０１号公報
【特許文献２】特開２００６−０８４９６３号公報
【発明の概要】
【発明が解決しようとする課題】
【０００９】
しかしながら、上記特許文献１の技術では、観察者が知らないうちに３次元画像が２次元画像に切替わってしまう。このため、例えば観察者が２次元画像を立体感に乏しい３次元画像と誤認し、観察してしまう可能性がある。これでは、苦労して立体感のある３次元画像を作成した製作者の意図が観察者に伝わらず、映像作品が不当に低い評価しか得られず、観察者も迫力のある立体感を持つ３次元画像を鑑賞する機会を逸してしまう。
【００１０】
また、特許文献２の技術は、観察時に逐次３次元データベースからデータを取り出し、例えばコンピュータを使用して右眼用画像と左眼用画像を生成する、所謂リアルタイム３Ｄ−ＣＧ（real time three dimensional computer graphics）環境が前提となっている。一方、製作済みの３Ｄ−ＣＧ画像を事後的に鑑賞する場合には、視差は製作時に決まっているので、後から視差の方向を変えることはできず、特許文献２の技術は使用できない。また、実写で３次元画像を撮像する場合にも、右眼用画像と左眼用画像や視差は撮像時に決まるので、後から視差の方向を変えることはできず、特許文献２の技術は利用できない。
【００１１】
本発明は、このような課題を踏まえて成されたものであり、観察者が３次元画像を３次元画像として鑑賞する機会を逸することなく、製作済みの３Ｄ−ＣＧや実写で得られた３次元画像コンテンツにも利用可能であり、観察者の頭部の傾きによる３次元画像の融像障害に対応できる３次元画像観察用眼鏡、及び３次元画像観察用眼鏡を使用した３次元画像観察方法を提供することを目的とする。
【課題を解決するための手段】
【００１２】
本発明の３次元画像観察用眼鏡は、互いに視差を有する右眼用画像と左眼用画像を有する３次元画像の観察時に顔面に装着され、右眼用画像を観察者の右眼に導き、左眼用画像を観察者の左眼に導くものであり、前記観察者の頭部の左右の傾きを検出する検出手段と、前記観察者に警告を行なう警告手段と、前記検出手段の検出結果に基づき前記観察者の頭部の左右の傾きが所定以上の場合前記警告手段を動作させる制御手段とを有する。
上記検出手段としては、重力センサや加速度センサ等のセンサを用いることができる。上記センサが検出する傾きは、観察者が眼鏡を装着した状態での３次元画像観察用眼鏡の傾きであり、センサは観察者の頭部の傾きを３次元画像観察用眼鏡の傾きを検出することで間接的に検出している。もっとも、３次元画像観察用眼鏡を装着した観察者の頭部にセンサを配設して、直接的に頭部の傾きを検出してもよい。
【００１３】
詳細な構成例を述べると、本発明の３次元画像観察用眼鏡の一例は、例えば加速度センサ等で構成されるセンサによって観察者の頭部の傾きを検出し、この傾きが所定の閾値を超える場合、警告手段であるバイブレータを動作させて観察者のみに警告する。これは、周囲の人に迷惑となる大きな音や光を発生させない警告である。さらに、警告手段を複数設け、例えば左右にバイブレータを設け、観察者の頭部の傾きの向きに応じて何れか一方のバイブレータを動作させ、観察者に頭部の傾きの方向を容易に認識させる構成例も可能である。
【００１４】
また、上記警告手段としては、バイブレータに限らず、観察者の頭部の傾きが所定の閾値を超える場合、３次元画像観察用眼鏡の一部を構成する右眼用光学シャッタや左眼用光学シャッタの開閉を制御して観察者に警告することもできる。また、観察者の頭部の傾きが所定の閾値を超える場合、少なくとも一方の眼の前に位置付けられる透過率可変部材の透過率を変化させて観察者に警告することもできる。これらも、周囲の人に迷惑となる大きな音や光を発生させない警告である。
【００１５】
本発明の３次元画像観索システムは、上記構成の３次元画像観察用眼鏡と、互いに視差を有する右眼用画像と左眼用画像を有する３次元画像を表示する表示装置で構成され、上記表示装置の左右の傾きを変更する傾き変更機構と、上記観察者の頭部の左右の傾きを検出する検出手段と、この検出手段の検出結果に基づき、観察者の頭部の左右の傾きと、上記表示装置の左右の傾きの差が、所定の閾値以下になるように、上記傾き変更機横に表示装置の左右の傾きを変更させる制御手段とを有することを特徴とする。
【００１６】
本発明の３次元画像観索方法は、上記構成の３次元画像観察用眼鏡と、互いに視差を有する右眼用画像と左眼用画像を有する３次元画像を表示する表示装置で構成される３次元画像観索システムにおいて、上記観察者の頭部の左右の傾き検出手段で検出し、上記検出手段の検出結果に基づき、観察者の頭部の左右の傾きが所定閾値以上の場合に警告を発することを特徴とする。
【発明の効果】
【００１７】
本発明によれば、以下の実施形態で説明するように、本発明の３次元画像観察用眼鏡を装着して３次元画像を観索する際、観察者の頭部が所定以上傾くと警告手段によって警告され、容易に３次元画像の融像障害の予防をすることができる。
また、警告手段を左右に設け、左右の傾きの方向によって何れかの警告手段を動作することによって、観察者は容易に自分の頭部の傾きの方向を知ることができ、傾きの補正が容易となる。
さらに、警告手段による警告は、周囲の他人に知られずに行なわれ、複数人で３次元画像を観察している場合でも、他人に迷惑を掛けずに、３次元画像の融像障害の警告を受け取ることができる。
【図面の簡単な説明】
【００１８】
【図１】第１の実施形態に係る３次元画像観察用眼鏡の構成の主要部を示すブロック図である。
【図２】第１の実施形態に係る３次元画像観察用眼鏡の斜視図である。
【図３】第１の実施形態の観察者への警告方法を説明するフローチャートである。
【図４】３次元画像観察用眼鏡の傾き方向に対する左右のバイブレータの駆動例を示す図である。
【図５】第２の実施形態に係る３次元画像観察用眼鏡の構成の主要部を示すブロック図である。
【図６】第２の実施形態に係る３次元画像観察用眼鏡の斜視図である。
【図７】第２の実施形態の観察者への警告方法を説明するフローチャートである。
【図８】(ａ)は、画像中のオブジェクがぶれて見える状態を示す図であり、（ｂ）は、正常な場合の画像中のオブジェクが見える状態を示す図である。
【図９】第３の実施形態に係る３次元画像観察用眼鏡の構成の主要部を示すブロック図である。
【図１０】第３の実施形態に係る３次元画像観察用眼鏡の斜視図である。
【図１１】第３の実施形態の観察者への警告方法を説明するフローチャートである。
【図１２】(ａ)は、右眼用透過率可変素子及び左眼用透過率可変素子が高透過率状態である場合の画像の見え方を示す図であり、  (ｂ)は、右眼用透過率可変素子のみが低透過率状態である場合の画像の見え方を示す図である。
【図１３】第３の実施形態の変形例を説明する図である。
【図１４】第３の実施形態の変形例を説明する図であり、観察者への警告方法を説明するフローチャートである。
【図１５】第３の実施形態の変形例を説明する図であり、(ａ)は、右眼観察像が暗くなって見える状態の一例を示す図であり、（ｂ）は、正常な場合の例を示す図である。
【図１６】３次元画像観索システムの構成を示す図である。
【図１７】３次元画像観索システムで使用される３次元画像観察用眼鏡の構成を示す図である。
【図１８】３次元画像観索システムで使用される３次元画像観察用眼鏡の回路ブロック図である。
【図１９】３次元画像観索システムで使用される表示装置の構成を示す図である。
【図２０】表示装置の主要部の構成を示し、信号の流れに対応した表示装置の主要部のブロック図である。
【図２１】３次元画像観索システムにおける３次元画像の観索方法を説明するフローチャートである。
【図２２】正常な場合の例であり、(ａ)は、観察者の頭部が垂直であり、頭部が水平方向に傾いていない場合の状態を示す図であり、（ｂ）は、上記状態で観察する画像を示す図である。
【図２３】観察者の頭部が傾いた状態を説明する図であり、(ａ)は、具体的に観察者の頭部が傾いている状態を説明する図であり、（ｂ）は、上記状態で観察する画像を示す図である。
【発明を実施するための形態】
【００１９】
以下、本発明の実施の形態を図面に基づいて説明する。
（策１の実施形態）
図１は本発明の第１の実施形態に係る３次元画像観察用眼鏡の構成の主要部を示すブロック図である。本実施形態の３次元画像観察用眼鏡１は、互いに視差を有する右眼用画像と左眼用画像を有する３次元画像の観察時に顔面に装着され、右眼用画像を観察者の右眼に導き、左眼用画像を観察者の左眼に導く眼鏡である。
【００２０】
３次元画像観察用眼鏡１は、図１に示すように、観察者の頭部の左右の傾きを検出するセンサ２と、上記観察者に警告を行なう警告手段３と、上記センサ２の検出結果に基づき、観察者の頭部の左右の傾きが所定閾値以上の場合、上記警告手段３を駆動する制御回路４で構成されている。また、警告手段３は右バイブレータ５と左バイブレータ６を含んでおり、後述するように右バイブレータ５は観察者の右耳近傍に位置する箇所に設けられ、左バイブレータ６は観察者の左耳近傍に位置する箇所に設けられている。
【００２１】
図２は、第１の実施形態に係る３次元画像観察用眼鏡１の斜視図である。上記右バイブレータ５は、具体的には３次元画像観察用眼鏡１の右側のテンプル（つる）部分に取り付けられ、左バイブレータ６は３次元画像観察用眼鏡１の左側のテンプル（つる）部分に取り付けられる。３次元画像観察用眼鏡１は右バイブレータ５又は左バイブレータ６を駆動することによって、観察者に警告を発する。
【００２２】
上記センサ２は３次元画像観察用眼鏡１の所謂ブリッジ部に配設され、制御回路４は３次元画像観察用眼鏡１の左側のテンプルに配設されている。さらに、３次元画像観察用眼鏡１の右側のテンプルにはバッテリー７が配設されている。尚、センサ２と制御回路４、及び制御回路４と左右のバイブレータ５、６は、３次元画像観察用眼鏡１に設けられた不図示の信号線で接続されており、制御回路４はセンサ２から傾き検出信号を受信する。また、制御回路４は上記センサ２からの検出信号に基づいて右バイブレータ５、又は左バイブレータ６に駆動信号を出力する。
【００２３】
また、バッテリー７と制御回路４及び左右のバイブレータ５、６は、不図示の電源供給線で接続されており、バッテリー７から制御回路４及び左右のバイブレータ５、６に対して電源供給が行なわれる。
【００２４】
センサ２は本実施形態の３次元画像観察用眼鏡１の左右の傾きを検出するセンサであり、観察者が３次元画像観察用眼鏡１を装着した状態での３次元画像観察用眼鏡１の左右の傾きを検出する。したがって、センサ２は間接的に観察者の頭部の左右の傾きを検出することになる。センサ２として、例えば加速度センサを使用することができる。尚、加速度センサ以外でも、例えば表示装置に取り付けた複数の赤外線マーカを検出し、その検出方向より３次元画像観察用眼鏡１の傾きを検出する赤外線センサ等を使用することもできる。
【００２５】
次に、上記構成の３次元画像観察用眼鏡１を使用して、観察者の頭部が左右に傾いた場合の観察者への警告方法について説明する。
図３は本実施形態の観察者への警告方法を説明するフローチャートである。また、図４は３次元画像観察用眼鏡１の傾き方向に対する左右のバイブレータ５、６の駆動例を示す図である。以下に両図を用いて、具体的に本実施形態の駆動動作を説明する。
【００２６】
先ず、観察者は本実施形態の３次元画像観察用眼鏡１を装着し、不図示の表示装置に表示される３次元画像を観察する。その後、センサ２は観察者の頭部の傾きを検出し、検出信号を制御回路４に送信する。
制御回路４ではセンサ２から送信される検出信号を受信し、この検出信号に基づいて、３次元画像観察用眼鏡１（観察者の頭部）が予め設定した閾値以上傾いているか判断する（ステップ（以下、Ｓで示す）１）。ここで、上記傾きが閾値以下であれば、３次元画像の観察が終了したか判断し（Ｓ２）、観察者が３次元画像の観察を続けていれば（Ｓ２がＮＯ）、Ｓ１実行前に戻り上記処理を繰り返す。
【００２７】
一方、上記監視を続け、Ｓ１において例えば観察者の頭部が図４(ａ)に示すように右に傾き、その傾きが閾値以上になると、制御回路４は警告手段３である右バイブレータ５に駆動信号を出力し、右バイブレータ５を振動させる（Ｓ３）。観察者は右バイブレータ５の振動により、頭部が右に３次元画像を観察する際に融像にとって適切でない程度まで傾いたことを認識する。
【００２８】
一方、観察者が３次元画像を観察中、Ｓ１において例えば頭部が図４(ｂ)に示すように左に傾き、その傾きが閾値以上になると、制御回路４は警告手段３である左バイブレータ６に駆動信号を出力し、左バイブレータ６を振動させる（Ｓ４）。観察者はこの左バイブレータ６の振動により、頭部が左に３次元画像を観察する際に融像にとって適切でない程度まで傾いたことを認識する。
【００２９】
したがって、何れの場合も、観察者は右バイブレータ５、又は左バイブレータ６の振動によって、自分の頭部が過度に右又は左に傾いていることを容易に知ることができ、頭部を正常な位置に戻し、３次元画像を眼の負担が少なく観察できる状態に修正することができる。
尚、図４（ｃ）は観察者の頭部の左右の傾きと、その大きさによって右バイブレータ５が振動する場合と、左バイブレータ６が振動する場合を表形式にしたものである。例えば、３次元画像観察用眼鏡１が右に傾き、右側のテンプルが左側のテンプルに比較して下に位置する場合、右側のテンプルに配設された右パイプレータ５が振動し、左バイブレータ６は振動しない（ＮＯＰ（no operation)）。また、３次元画像観察用眼鏡１が左に傾き、左側のテンプルが右側のテンプルに比較して下に位置する場合、左側のテンプルに配設された左パイプレータ６が振動し、右バイブレータ５は振動しない（ＮＯＰ）。また、３次元画像観察用眼鏡１の傾きが閾値より小さい場合には、バイプレータ５及び６共に振動しない（ＮＯＰ）。
【００３０】
以上のように、本実施形態によれば、観察者は右バイブレータ５又は左バイブレータ６が振動すると、観察者は３次元画像観察用眼鏡１、つまり自分の頭部が、振動したバイブレータ側が下になるように傾いていることを直ちに知ることができる。したがって、反射的に観察者は振動したバイプレ一夕側を上げるように頭部を回動させ、頭部の傾きを補正することができる。
【００３１】
また、本実施形態によれば、観察者の頭部が左右に過度に傾き３次元画像の融像が困難になったことを、バイブレータによって警告するので、周囲の他人に知られずに知ることができる。したがって、例えば複数人で３次元画像を観察している場合でも、他人に迷惑を掛けずに、３次元画像の融像障害の予防をすることができる。
【００３２】
さらに、観察者の頭部の傾く方向が左右のどちらであるかに応じて、右バイブレータ又は左バイブレータを選択的に動作させるので、観察者は頭部を何れの方向に戻せばよいかを、直に知ることができ、反射的動作による傾きの補正が可能である。
尚、検出される傾きの方向と振動するバイブレ一夕の対応を逆にし、３次元画像観察用眼鏡１、つまり自分の頭部が左右に傾いて相対的位置が上になった側のテンプルに配設されたバイブレータを振動させるように構成してもよい。
（第２の実施形態）
【００３３】
次に、本発明の第２の実施形態について説明する。
本実施形態は、光学シャッタ式の３次元画像観察用眼鏡に関するものであり、警告手段として観察者の左眼前に設けられる左眼用光学シャッタと、右眼前に設けられる右眼用光学シャッタを使用する。以下、具体的に説明する。
【００３４】
図５は本実施形態に係る３次元画像観察用眼鏡１１の構成の主要部を示すブロック図である。本実施形態の３次元画像観察用眼鏡１１は、観察者の頭部の左右の傾きを検出するセンサ１２と、上記観察者に警告を行なう警告手段１３と、上記センサ１２の検出結果に基づき、観察者の頭部の左右の傾きが所定以上の場合、警告手段１３を制御する制御回路１４で構成されている。但し、本実施形態の警告手段１３は前述の実施形態と異なり、光学シャッタ駆動回路１５、右眼用光学シャッタ１６ａ、及び左眼用光学シャッタ１６ｂで構成されている。
【００３５】
図６は、本実施形態の３次元画像観察用眼鏡１１の斜視図である。センサ１２は前述の実施形態と同様、３次元画像観察用眼鏡１１のブリッジ部に配設され、制御回路１４は３次元画像観察用眼鏡１１の左側のテンプルに配設されている。また、３次元画像観察用眼鏡１の右側のテンプルにはバッテリー１７が配設されている。尚、制御回路１４と、センサ２、光学シャッタ駆動回路１５等は３次元画像観察用眼鏡１１に設けられた不図示の信号線で接続されており、制御回路１４はセンサ１２から傾き検出信号を受信する。また、制御回路１４は傾きセンサ１２からの検出信号に基づいて光学シャッタ駆動回路１５に制御信号を送り、右眼用光学シャッタ１６ａ、又左眼用光学シャッタ１６ｂを駆動する。
【００３６】
また、バッテリー１７から不図示の電源供給線が配設され、上記制御回路１４や光学シャッタ駆動回路１５に電源供給が行なわれる。尚、センサ１２は前述の実施形態と同様、３次元画像観察用眼鏡１１の左右の傾きを検出するセンサであり、観察者が３次元画像観察用眼鏡１１を装着した状態での３次元画像観察用眼鏡１１の左右の傾きを検出する。したがって、センサ１２は間接的に観察者の頭部の左右の傾きを検出することになる。
【００３７】
次に、上記構成の３次元画像観察用眼鏡１１を使用して、観察者の頭部が左右に傾いた場合の観察者への警告方法について説明する。
図７は本実施形態の観察者への警告方法を説明するフローチャートである。
先ず、観察者は本実施形態の３次元画像観察用眼鏡１１を装着し、不図示の表示装置に表示される３次元画像を観察する。その後、センサ１２は観察者の頭部の傾きを検出し、検出信号を制御回路１４に送信する。制御回路１４はセンサ１２から送信される検出信号に基づいて、３次元画像観察用眼鏡１１（観察者の頭部）が予め設定した閾値以上傾いたか判断する（ステップ（以下、ＳＴで示す）１）。
【００３８】
ここで、３次元画像観察用眼鏡１１の傾きが閾値以下であれば、右眼用光学シャッタ１６ａ及び左眼用光学シャッタ１６ｂを交互に開閉し、観察者に３次元画像を観察させる（ＳＴ２）。すなわち、表示装置には右眼用画像と左眼用画像が交互に表示されるので、これに同期して右眼用光学シャッタ１６ａ及び左眼用光学シャッタ１６ｂを交互に開閉させる。具体的には、右眼用画像が表示されているタイミングで右眼用光学シャッタ１６ａを開として左眼用光学シャッタ１６ｂを閉とする、また左眼用画像が表示されているタイミングで左眼用光学シャッタ１６ｂを開として右眼用光学シャッタ１６ａを閉とする。これにより、右眼用画像は右眼に、左眼用画像は左眼に導き、観察者に３次元画像を観察させる。
【００３９】
その後、３次元画像の観察が終了したか判断し（ＳＴ３）、観察者が３次元画像の観察を続けていれば（ＳＴ３がＮＯ）、上記処理を繰り返す。
一方、上記監視を続け、ＳＴ１で例えば観察者の頭部が左右何れかに傾き、その傾きが閾値以上になることが検出されると、制御回路１４は光学シャッタ駆動回路１５に駆動信号を出力し、右眼用光学シャッタ１６ａ及び左眼用光学シャッタ１６ｂを開放にする（ＳＴ４）。この制御により、右眼用画像と左眼用画像が両方とも右眼と左眼に導かれ、観察者には右眼用画像と左眼用画像が重なり合って観察される。
【００４０】
図８(ａ)はこの様子を示す図であり、図８(ａ)に示す画像中のオブジェクト１８、１９は水平の視差分だけ離間して２重に見え、立体感は無くぶれたように見える。尚、図８（ｂ）に示す画像は、正常な場合であり、右眼用光学シャッタ１６ａ及び左眼用光学シャッタ１６ｂが交互に開閉する場合の見え方の例である。オブジェクトは立体感がありぶれ無く観察される。
したがって、本実施形態によれば、観察者の頭部の左右の傾きが閾値以上になると、画像が急に左右にぶれたように変化するので、観察者はこの警告を見逃すことなく、容易に認識することができる。また、上記警告は周囲の他人に知られず、観察者のみ認識できるので、複数人で３次元画像を観察している場合でも、他人に迷惑を掛けずに、３次元画像の融像障害の警告を得ることができる。
（第３の実施形態）
【００４１】
次に、本発明の第３の実施形態について説明する。
本実施形態は、警告手段として観察者の少なくとも一方の眼の前に位置する透過率可変部材を採用する３次元画像観察用眼鏡に関するものである。以下、具体的に説明する。
図９は本実施形態に係る３次元画像観察用眼鏡２１の構成の主要部を示すブロック図である。本実施形態の３次元画像観察用眼鏡２１は、観察者の頭部の左右の傾きを検出するセンサ２２と、上記観察者に警告を行なう警告手段２３と、上記センサ２２の検出結果に基づき、観察者の頭部の左右の傾きが所定以上の場合、上記警告手段２３を制御する制御回路２４で構成されている。但し、本実施形態の警告手段２３は前述の２つの実施形態と異なり、透過率可変素子駆動回路２５、右眼用透過率可変素子２６ａ、及び左眼用透過率可変素子２６ｂで構成されている。上記右眼用透過率可変素子２６ａ及び左眼用透過率可変素子２６ｂとしては、例えば透過型液晶を使用することができる。
【００４２】
図１０は、本実施形態の３次元画像観察用眼鏡２１の斜視図である。センサ２２は前述の２つ実施形態と同様、３次元画像観察用眼鏡２１のブリッジ部に配設され、制御回路２４は３次元画像観察用眼鏡２１の左側のテンプルに配設されている。また、３次元画像観察用眼鏡２１の右側のテンプルにはバッテリー２７が配設されている。尚、センサ２２と制御回路２４、及び透過率可変素子駆動回路２５等は、３次元画像観察用眼鏡２１に設けられた不図示の信号線で接続されており、制御回路２４はセンサ２２から傾き検出信号を受信し、制御回路１４は上記センサ２２からの検出信号に基づいて透過率可変素子駆動回路２５に制御信号を出力する。
【００４３】
また、バッテリー２７から不図示の電源供給線が配設され、上記制御回路２４や透過率可変素子駆動回路２５に電源供給が行なわれる。尚、センサ２２は前述の２つ実施形態と同様、３次元画像観察用眼鏡２１の左右の傾きを検出するセンサであり、観察者が３次元画像観察用眼鏡２１を装着した状態での３次元画像観察用眼鏡２１の左右の傾きを検出する。したがって、センサ２２は観察者の頭部の左右の傾きを検出することになる。
次に、上記構成の３次元画像観察用眼鏡２１を使用して、観察者の頭部が左右に傾いた場合の観察者への警告方法について説明する。
【００４４】
図１１は本実施形態の観察者への警告方法を説明するフローチャートである。
先ず、観察者は本実施形態の３次元画像観察用眼鏡２１を装着し、不図示の表示装置に表示される３次元画像を観察する。その後、センサ２２は観察者の頭部の傾きを検出し、検出信号を制御回路２４に送信する。制御回路２４はセンサ２２から送信される検出信号に基づいて、３次元画像観察用眼鏡２１（観察者の頭部）が予め設定した閾値以上傾いているか判断する（ステップ（以下、ＳＴＰで示す）１）。
【００４５】
ここで、３次元画像観察用眼鏡２１の傾きが閾値以下であれば、透過率可変素子駆動回路２５は右眼用透過率可変素子２６ａ及び左眼用透過率可変素子２６ｂを高透過率状態とする（ＳＴＰ２）。図１２(ａ)は右眼用透過率可変素子２６ａ及び左眼用透過率可変素子２６ｂが高透過率状態である場合の画像の見え方を示す。この場合、全体として明るい画像として観察者に知覚される。
【００４６】
次に、３次元画像の観察が終了したか判断し（ＳＴＰ３）、観察者が３次元画像の観察を続けていれば（ＳＴＰ３がＮＯ）、上記処理を繰り返す。
一方、上記監視を続け、例えば観察者の頭部が左右何れかに傾き、その傾きが閾値以上になると、制御回路２４は透過率可変素子駆動回路２５に制御信号を出力し、右眼用透過率可変素子２６ａ及び左眼用透過率可変素子２６ｂを低透過率状態にする（ＳＴＰ４）。この制御により、観察者には画面全体が暗くなって見える。図１２（ｂ）は、この時観察者に知覚される画像の状態を示す。
【００４７】
したがって、本実施形態によれば、観察者の頭部の左右の傾きが閾値以上になると、画像全体が暗くなり、観察者は自分の頭部が閾値以上傾いたことを認識することができる。また、上記警告は周囲の他人に知られず、観察者のみ認識できるので、複数人で３次元画像を観察している場合でも、他人に迷惑を掛けずに、３次元画像の融像障害の警告を知ることができる。
尚、本実施形態の説明では右眼用透過率可変素子２６ａ及び左眼用透過率可変素子２６ｂを設ける構成としたが、何れか一方の透過率可変素子を使用する構成としてもよい。この場合、右眼用透過率可変素子２６ａ又は左眼用透過率可変素子２６ｂの何れか使用する一方の眼には暗い画像が見え、頭部が大きく傾いたことを観察者に認識させることができる。
【００４８】
一方、図１３(ａ)は本実施形態の変形例（変形例１）を説明する図であり、観察者の頭部が左右何れかに傾き、その傾きが閾値以上の場合に観察者に見せる画像の状態を示す。この場合、右眼用透過率可変素子２６ａ及び左眼用透過率可変素子２６ｂの一部領域のみを低透過率、若しくは遮蔽状態に制御するものである。この変形例の場合、一部の領域のみが暗い画像となるので、例え透過率を遮蔽状態まで落としても、視野を全面的に遮ることはない。
【００４９】
したがって、例えば図１３(ａ)に示す例では、画面の上部分と下部分のみが影響を受け、画面の主要部分の鑑賞を耶魔せずに、警告を発生することができる。尚、図１３（ｂ）は比較のため、正常の場合の見え方の例を示すものである。
また、図１４、図１５は、本実施形態の更なる変形例（変形例２）を説明する図であり、観察者の頭部の傾く方向が左右の何れであるかに応じて、右眼用透過率可変素子２６ａ及び左眼用透過率可変素子２６ｂの透過率を変更するものである。
【００５０】
図１４は本変形例の観察者への警告方法を説明するフローチャートである。この場合も、観察者は本実施形態の３次元画像観察用眼鏡２１を装着し、不図示の表示装置に表示される３次元画像を観察する際、センサ２２が観察者の頭部の傾きを検出し、検出信号を制御回路２４に送信する。制御回路２４はセンサ２２から送信される検出信号に基づいて、３次元画像観察用眼鏡２１（観察者の頭部）が予め設定した閾値以下であれば、右眼用透過率可変素子２６ａ及び左眼用透過率可変素子２６ｂを高透過率状態とし（ＳＴＰ２）、上記処理を繰り返す（ＳＴＰ３がＮＯ）。
【００５１】
その後、上記監視を続け、例えば観察者の頭部が右に閾値以上傾くと、右眼用透過率可変素子２６ａを低透過率状態にする（ＳＴＰ５）。この制御により、観察者には左眼観察像は明るく見えるが、右眼観察像が暗くなって見える。図１５(ａ)はこの状態を示す図である。尚、図１５（ｂ）は正常な場合の例である。
【００５２】
また、逆に観察者の頭部が左に閾値以上傾くと、左眼用透過率可変素子２６ｂを低透過率状態にする（ＳＴＰ６）。この制御により、観察者には右眼観察像は明るく見えるが、左眼観察像が暗くなって見える。
したがって、上記変形例によれば、観察者の頭部の傾く向きによって透過率を低下させる右眼用透過率可変素子２６ａ又は左眼用透過率可変素子２６ｂを選択するので、観察者は自分の頭部が何れに方向に傾いているか直感的に知ることができる。
（第４の実施形態）
【００５３】
次に、本発明の第４の実施形態について説明する。
本実施形態は、互いに視差を有する右眼用画像と左眼用画像を有する３次元画像を表示する表示装置と、当該表示装置に表示される３次元画像を観察するための３次元画像観察用眼鏡とを使用する３次元画像観索システムにおいて、３次元画像の観察方法に関する。
図１６は本システムの構成を示す図であり、同図に示す３次元画像観索システム３０は、３次元画像観察用眼鏡３１と表示装置３３で構成されている。また、図１７は３次元画像観察用眼鏡３１の構成を示す図であり、前述の第１乃至第３実施形態と同様、センサ３２、制御回路３４、バッテリー３７等で構成されている。また、本例の３次元画像観察用眼鏡３１には上記表示装置３２と通信を行なう為の送信ユニット３５が設けられている。
【００５４】
図１８は上記３次元画像観察用眼鏡３１の回路ブロック図である。前述の第１乃至第３実施形態と同様、観察者の頭部の傾きを検知するセンサ３２による検出信号は制御回路３４に通知され、制御回路３４によって観察者の頭部の傾きが閾値以上であるか判断する。送信ユニット３５は制御回路３４による上記判断結果に従って、表示装置３３に制御信号を出力する。
【００５５】
一方、図１９は上記表示装置３３の具体的な構成を示す図である。表示装置３３は受信ユニット３６、制御回路３８、駆動回路３９、傾き変更機構４０、及び表示部４１等を含んでいる。また、上記制御回路３８と駆動回路３９は台座４２の内部に設けられ、台座４２には支柱４３が立設され、支柱４３に上部に傾き変更機構４０が設けられている。
【００５６】
表示部４１は傾き変更機構４０を駆動することによって左右に回動する構成である。尚、表示部傾き検出ユニット４４は、表示部４１の傾きを検出し、制御回路３８に検出結果を通知する。また、図２０は上記表示装置３３の主要部の構成を示し、信号の流れに対応した表示装置３３の主要部のブロック図である。
【００５７】
次に、上記構成の３次元画像観索システムにおいて、３次元画像の観察方法について説明する。図２１は本実施形態の３次元画像の観索方法を説明するフローチャートである。
先ず、観察者は本実施形態の３次元画像観察用眼鏡３１を装着し、表示装置３３に表示される３次元画像を観察する。その後、センサ３２は観察者の頭部の傾きを検出し、検出信号を制御回路３４に送信する。制御回路３４はセンサ３２から送信される検出信号に基づいて、３次元画像観察用眼鏡３１（観察者の頭部）が予め設定した閾値以上傾いたか判断する（ステップ（以下、Ｗで示す）１）。
【００５８】
ここで、３次元画像観察用眼鏡３１の傾きが閾値以下であれば、３次元画像の観察が終了したか判断し（Ｗ３）、観察者が３次元画像の観察を続けていれば（Ｗ３がＮＯ）、上記判断を繰り返す。
その後、上記監視を続け、例えば観察者の頭部が左右何れかに傾き、その傾きが閾値以上になると、制御回路３４は送信ユニット３５に制御信号を出力し、送信ユニット３５は表示装置３３の受信ユニット３６に対して、頭部の傾きと表示部４１の傾きの差が閾値以下になるように表示部４１の傾きを変更させる指示を出力する（Ｗ２）。
【００５９】
表示装置３３の受信ユニット３６は上記指示を受信すると、制御回路３８に通知する。制御回路３８は、上記指示に従って駆動回路３９に制御信号を出力し、駆動回路３９によって傾き変更機構４０を駆動させ、３次元画像観察用眼鏡３１が傾いた方向に表示部４１を回動させる。
【００６０】
この処理によって表示部４１は３次元画像観察用眼鏡３１の傾き方向に回動し、この表示部４１の傾きは前述の表示部傾き検出ユニット４４によって検出される。制御回路３８は表示部傾き検出ユニット４４によって検出した表示部４１の傾きの情報と、受信ユニット３６から入力する傾き情報とを比較し、両傾きの差が前述の閾値内に収まるように制御する。
【００６１】
したがって、本実施形態によれば、観察者の頭部の左右の傾きと表示装置３３の表示部４１の左右の傾きがの差が所定の閾値以下になるように、表示部４１が回動する。これにより、観察者は表示装置３３の回動により、自己の頭部が左右に傾いていることへの警告を容易に受け取ることができる。また、頭部の傾きに追従して表示装置３３の表示部４１が傾くので、表示装置３３の視差の方向と、観察者の両眼を結ぶ線の方向が一致するように動的に調整され、融像が困難になる現象が起こり難い。
【００６２】
尚、本実施形態では、３次元画像観察用眼鏡３１に傾きセンサ３２を設けたが、表示装置３３側に傾きセンサを設ける構成としてもよい。例えば、表示装置３３側に撮像ユニットを搭載し、この撮像ユニットで観察者を撮像し、撮像画面から３次元画像観察用眼鏡３１の対応する部分を検出し、この検出した３次元画像観察用眼鏡３１の向きより、観察者の頭部の傾斜を計算するようにしてもよい。
【符号の説明】
【００６３】
１、１１、２１、３１・・・３次元画像観察用眼鏡
２、１２、２２、３２・・・センサ
３、１３、２３・・・警告手段
４、１４、２４、３４・・・制御回路
５・・・右バイブレータ
６・・・左バイブレータ
７、１７，２７・・・バッテリー
１５・・光学シャッタ駆動回路
１６ａ・・右眼用光学シャッタ
１６ｂ・・左眼用光学シャッタ
１８、１９・・オブジェクト
２５・・透過率可変素子駆動回路
２６ａ・・右眼用透過率可変素子
２６ｂ・・左眼用透過率可変素子
３３・・表示装置
３５・・送信ユニット
３６・・受信ユニット
３８・・制御回路
３９・・駆動回路
４０・・傾き変更機構
４１・・表示部
４２・・台座
４３・・支柱
４４・・表示部傾き検出ユニット
【図１】
2012053237.tif 000003
【図２】
2012053237.tif 000004
【図３】
2012053237.tif 000005
【図４】
2012053237.tif 000006
【図５】
2012053237.tif 000007
【図６】
2012053237.tif 000008
【図７】
2012053237.tif 000009
【図８】
2012053237.tif 000010
【図９】
2012053237.tif 000011
【図１０】
2012053237.tif 000012
【図１１】
2012053237.tif 000013
【図１４】
2012053237.tif 000014
【図１６】
2012053237.tif 000015
【図１７】
2012053237.tif 000016
【図１８】
2012053237.tif 000017
【図１９】
2012053237.tif 000018
【図２０】
2012053237.tif 000019
【図２１】
2012053237.tif 000020
【図２２】
2012053237.tif 000021
【図２３】
2012053237.tif 000022
【図１２】
2012053237.tif 000023
【図１３】
2012053237.tif 000024
【図１５】
2012053237.tif 000025
【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
互いに視差を有する右眼用画像と左眼用画像を有する３次元画像の観察時に顔面に装着され、右眼用画像を観察者の右眼に導き、左眼用画像を観察者の左眼に導く、３次元画像観察用眼鏡であり、
前記観察者の頭部の左右の傾きを検出する検出手段と、
前記観察者に警告を行なう警告手段と、
前記検出手段の検出結果に基づき、前記観察者の頭部の左右の傾きが融像にとって不適切な角度になった場合、前記警告手段を動作させる制御手段と、
を有することを特徴とする３次元画像観察用眼鏡。
【請求項２】
前記警告手段は、バイブレータを含むことを特徴とする藷求項１に記載の３次元画像観察用眼鏡。
【請求項３】
前記バイブレータは、前記３次元画像観察用眼鏡の右側と左側に各々配設され、前記制御手段は、前記観察者の頭部の傾く方向が左右何れかに応じて、前記右側に配設されたバイブレータと前記左側に配設されたバイブレータを選択的に動作させることを特徴とする請求項２に記載の３次元画像観察用眼鏡。
【請求項４】
前記バイブレータは、前記３次元画像観察用眼鏡のテンプルに配設されていることを特徴とする請求項３に記載の３次元画像観察用眼鏡。
【請求項５】
前記３次元画像観察用眼鏡は光学シャッタ式であり、
前記警告手段は、前記観察者の左眼前に位置づけられる左眼用光学シャッタと右眼前に位置づけられる右眼用光学シャッタを含み、
前記制御手段は、前記観察者の頭部の左右の傾きが所定以上の場合、前記左眼用光学シャッタと、前記右眼用光学シャッタの両方の光学シャッタを開放状態にする、
ことを特徴とする請求項１に記載の３次元画像観察用眼鏡。
【請求項６】
前記警告手段は、前記観察者の少なくとも一方の眼の前に位置付けられる透過率可変部材を含み、
前記制御手段は、前記観察者の頭部の左右の傾きが融像にとって不適切な角度になった場合、前記透過率可変部材の透過率を変化させる、
ことを特徴とする請求項１に記載の３次元画像観察用眼鏡。
【請求項７】
前記制御手段は、前記観察者の頭部の左右の傾きが融像にとって不適切な角度になった場合に前記透過率可変部材を低透過率状態とし、それ以外の場合に前記透過率可変部材を高透過率の状態にする  ことを特徹とする請求項６に記載の３次元画像観察用眼鏡。
【請求項８】
前記制御手段は、前記観察者の頭部の左右の傾きが融像にとって不適切な角度になった場合に前記透過率可変部材の一部の領域のみを低透過率若しくは遮蔽にすると共に他の領域を高透過率状態とし、それ以外の場合に前記透過率可変部材を全面的に高透過率の状態にすることを特徴とする請求項６に記載の３次元画像観察用眼鏡。
【請求項９】
前記制御手段は、前記観察者の頭部の左右の傾きが融像にとって不適切な角度になった場合に、前記観察者の片方の眼の前に位置付けられる透過率可変部材のみを低透過率若しくは遮蔽の状態にする
ことを特徴とする請求項６に記載の３次元画像観察用眼鏡。
【請求項１０】
前記透過率可変部材は観察者の左眼の前に位置付けられる左眼用透過率可変部材と右眼の前に位置付けられる右眼用透過率可変部材を有し、
前記制御手段は、前記観察者の頭部の傾く方向が左右何れかに応じて、左眼用透過率可変部材と右眼用透過率可変部材から透過率を変更する透過率可変部材を選択する、
ことを特徴とする請求項６に記載の３次元画像観察用眼鏡。
【請求項１１】
互いに視差を有する右眼用画像と左眼用画像を有する３次元画像の観察者に顔面に装着され右眼用画像を観察者の右眼に導き、左眼用画像を観察者の左眼に導く、３次元画像観察用眼鏡の使用時の３次元画像観察方法であり、
前記観察者の頭部の左右の傾き検出手段で検出し、
前記検出手段の検出結果に基づき、前記観察者の頭部の左右の傾きが融像にとって不適切な角度になった場合に警告を発動する、
ことを特徹とする３次元画像観察方法。
【請求項１２】
前記警告は、前記観察者の頭部の傾く方向が左右のどちらであるかに応じて、前記３次元画像観察用眼鏡の右側に配設されたバイブレータと左側に配設されたバイブレータを選択的に動作させることを含むことを特徴とする請求項１１に記載の３次元画像観察方法。
【請求項１３】
前記警告は、前記観察者の少なくとも一方の眼の前に位置付けられる透過率可変部材の透過率を変化させることを含むことを特徴とする請求項１１に記載の３次元画像観察方法。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】